(57)【要約】      （修正有）【課題】着用中に着用者の湿気を吸湿する吸湿機能を有し、着用中における着用者の肌のサラッと感を保持することができる衛生マスクを提供する。【解決手段】衛生マスク１０Ａは、横方向へ延びる上下端縁部及び縦方向へ延びる左右側縁部を有するマスク本体と、マスク本体の左側縁部及び右側縁部に取り付けられた耳掛け紐とを有する。マスク本体は、衛生マスク１０Ａを着用する着用者の顔面の側に位置して細い織り糸を密に織った平織りのローン生地と、ローン生地の反対側に位置する所定面積の繊維不織布とから形成されている。繊維不織布は、塵埃及び粒子を捕集するフィルタとしての機能を有し、ローン生地は、衛生マスクの着用中に着用者の湿気を吸湿する吸湿機能と着用中に着用者に滑らかで良好な肌触りを感じさせる好感触機能とを有する。【選択図】図１
2020200569.tif 000002
【特許請求の範囲】
【請求項１】
横方向へ延びる上下端縁部及び縦方向へ延びる左右側縁部を有するマスク本体と、前記マスク本体の左側縁部及び右側縁部に取り付けられた耳掛け紐とを有する衛生マスクにおいて、
前記マスク本体が、前記衛生マスクを着用する着用者の顔面の側に位置する所定面積の布帛と、前記布帛の反対側に位置する所定面積の繊維不織布とから形成されていることを特徴とする衛生マスク。
【請求項２】
前記布帛が、織物であり、前記衛生マスクでは、前記マスク本体を形成する前記繊維不織布が塵埃及び粒子を捕集するフィルタとしての機能を有し、前記マスク本体を形成する前記織物が着用中に前記着用者の湿気を吸湿する吸湿機能と着用中に該着用者に滑らかな肌触りを感じさせる好感触機能とを有する請求項１に記載の衛生マスク。
【請求項３】
前記織物が、細い織り糸を密に織った平織りのローン生地であり、前記ローン生地では、経（タテ）に綿番手が５０〜１２０番手の糸が使用され、緯（ヨコ）に綿番手が５０〜１２０番手の糸が使用されている請求項２に記載の衛生マスク。
【請求項４】
前記ローン生地の打込本数が、１５０〜２００本の範囲にある請求項３に記載の衛生マスク。
【請求項５】
前記ローン生地が、前記着用者の口に対向する第１対向部と、前記口を除く着用者の残余の部位に対向する第２対向部とを有し、前記第１対向部に位置する前記ローン生地の密度が、前記第２対向部に位置する前記ローン生地の密度よりも低く、前記第１対向部に位置する前記ローン生地の通気性が、前記第２対向部に位置する前記ローン生地の通気性よりも高い請求項３又は請求項４に記載の衛生マスク。
【請求項６】
前記第１対向部に位置するローン生地の打込本数が、１５０〜１７０本の範囲にあり、前記第２対向部に位置するローン生地の打込本数が、１７０〜２００本の範囲にある請求項５に記載の衛生マスク。
【請求項７】
前記マスク本体の上端縁部では、前記繊維不織布の上端縁から上方へ延出する前記布帛の上端縁部が該繊維不織布の上端縁部の非肌対向面の側に折り返されているとともに、前記折り返された布帛の上端縁部の非肌対向面に接合用第１繊維不織布が重なり、前記布帛の折り返された上端縁部が前記繊維不織布の上端縁部と前記接合用第１繊維不織布とに挟まれた状態で、該布帛と該繊維不織布と該接合用第１繊維不織布とが溶着され、前記マスク本体の下端縁部では、前記繊維不織布の下端縁から下方へ延出する前記布帛の下端縁部が該繊維不織布の下端縁部の非肌対向面の側に折り返されているとともに、前記折り返された布帛の下端縁部の非肌対向面に接合用第２繊維不織布が重なり、前記布帛の折り返された下端縁部が前記繊維不織布の下端縁部と前記接合用第２繊維不織布とに挟まれた状態で、該布帛と該繊維不織布と該接合用第２繊維不織布とが溶着されている請求項１ないし請求項６いずれかに記載の衛生マスク。
【請求項８】
前記マスク本体の左側縁部では、前記布帛の左側縁部の肌対向面と前記繊維不織布の左側縁部の非肌対向面とに接合用第３繊維不織布が重なり、前記布帛の左側縁部と前記繊維不織布の左側縁部とが前記接合用第３繊維不織布に挟まれた状態で、該布帛と該繊維不織布と該接合用第３繊維不織布とが溶着され、前記マスク本体の右側縁部では、前記布帛の右側縁部の肌対向面と前記繊維不織布の右側縁部の非肌対向面とに接合用第４繊維不織布が重なり、前記布帛の右側縁部と前記繊維不織布の右側縁部とが前記接合用第４繊維不織布に挟まれた状態で、該布帛と該繊維不織布と該接合用第４繊維不織布とが溶着されている請求項１ないし請求項７いずれかに記載の衛生マスク。
【請求項９】
前記マスク本体の上端縁部及び左側縁部が交差する上方第１角部では、前記折り返された布帛の非肌対向面に接合用第１繊維不織布が重なるとともに、前記布帛の肌対向面と前記接合用第１繊維不織布の非肌対向面とに前記接合用第３繊維不織布が重なり、前記布帛と前記繊維不織布と前記接合用第１繊維不織布とが前記接合用第３繊維不織布に挟まれた状態で、該布帛と該繊維不織布と該接合用第１繊維不織布と該接合用第３繊維不織布とが溶着され、前記マスク本体の上端縁部及び右側縁部が交差する上方第２角部では、前記折り返された布帛の非肌対向面に接合用第１繊維不織布が重なるとともに、前記布帛の肌対向面と前記接合用第１繊維不織布の非肌対向面とに前記接合用第４繊維不織布が重なり、前記布帛と前記繊維不織布と前記接合用第１繊維不織布とが前記接合用第４繊維不織布に挟まれた状態で、該布帛と該繊維不織布と該接合用第１繊維不織布と該接合用第４繊維不織布とが溶着され、前記マスク本体の下端縁部及び左側縁部が交差する下方第１角部では、前記折り返された布帛の非肌対向面に接合用第２繊維不織布が重なるとともに、前記布帛の肌対向面と前記接合用第２繊維不織布の非肌対向面とに前記接合用第３繊維不織布が重なり、前記布帛と前記繊維不織布と前記接合用第２繊維不織布とが前記接合用第３繊維不織布に挟まれた状態で、該布帛と該繊維不織布と該接合用第２繊維不織布と該接合用第３繊維不織布とが溶着され、前記マスク本体の下端縁部及び右側縁部が交差する下方第２角部では、前記折り返された布帛の非肌対向面に接合用第２繊維不織布が重なるとともに、前記布帛の肌対向面と前記接合用第２繊維不織布の非肌対向面とに前記接合用第４繊維不織布が重なり、前記布帛と前記繊維不織布と前記接合用第２繊維不織布とが前記接合用第４繊維不織布に挟まれた状態で、該布帛と該繊維不織布と該接合用第２繊維不織布と該接合用第４繊維不織布とが溶着されている請求項８に記載の衛生マスク。
【発明の詳細な説明】
【技術分野】
【０００１】
本発明は、衛生マスクに関する。
【背景技術】
【０００２】
上下方向及び幅方向を有し、上下方向の寸法を2等分する横断中心線と、マスク本体と、マスク本体の両側縁から環状に延びる一対の耳掛け部とを備え、マスク本体が一対の耳掛け部の上下固定部が位置する上下端部と上下端部間に位置する口覆い部と両側縁に沿って上下方向へ断続的に延びる複数の接合部が配置されたシール域とを有し、口覆い部と下端部とがマスク本体を形成するシートを折り重ねて形成された襞部を有し、横断中心線よりも下方に位置してマスク本体の両側縁から幅方向の内側へ延びる切欠を有する使い捨てマスクが開示されている（特許文献１参照）。この使い捨てマスクのマスク本体を形成する内層シートと外層シートとは、熱融着性繊維を含む質量１ ０ 〜 ４ ０ ｇ／ ｍ ２ の通気性を有する繊維不織布シートであって、メルトブローン繊維不織布、スパンボンド繊維不織布、Ｓ Ｍ Ｓ 繊維不織布、エアスルー繊維不織布等の各種公知の繊維不織布が使用されている。
【先行技術文献】
【特許文献】
【０００３】
【特許文献１】実用新案登録第３２０３０８７号
【発明の概要】
【発明が解決しようとする課題】
【０００４】
前記特許文献１に開示の使い捨てマスクは、マスクを着用する着用者の顔面の側に位置する内層シートが繊維不織布から作られているから、その吸湿性が低く、マスクの着用中に内層シートが着用者の汗や呼気を吸湿することはなく、汗や呼気が着用者の肌に付着したままとなり、マスクの着用中における着用者の肌のサラっと感を保持することができない。又、内層シートが湿気を吸湿することがないから、マスクの着用中に内層シートの肌触りがベタついて着用者の肌に不快な感触を与える場合がある。
【０００５】
本発明の目的は、着用中に着用者の湿気を吸湿する吸湿機能を有し、着用中における着用者の肌のサラッと感を保持することができる衛生マスクを提供することにある。本発明の他の目的は、滑らかな肌触りを感じさせる好感触機能を有し、着用中に着用者の肌に不快な感触を与えることはなく、着用中に着用者の肌にベタつかずに滑らかでサラサラとした良好な感触を与えることができる衛生マスクを提供することにある。
【課題を解決するための手段】
【０００６】
前記課題を解決するための本発明の前提は、横方向へ延びる上下端縁部及び縦方向へ延びる左右側縁部を有するマスク本体と、マスク本体の左側縁部及び右側縁部に取り付けられた耳掛け紐とを有する衛生マスクである。
【０００７】
前記前提における本発明の特徴は、マスク本体が、衛生マスクを着用する着用者の顔面の側に位置する所定面積の布帛と、布帛の反対側に位置する所定面積の繊維不織布とから形成されていることにある。
【０００８】
本発明の一例としては、布帛が織物であり、衛生マスクでは、マスク本体を形成する繊維不織布が塵埃及び粒子を捕集するフィルタとしての機能を有し、マスク本体を形成する織物が着用中に着用者の湿気を吸湿する吸湿機能と着用中に着用者に滑らかな肌触りを感じさせる好感触機能とを有する。
【０００９】
本発明の他の一例としては、  前記織物が、細い織り糸を密に織った平織りのローン生地であり、前記ローン生地では、経（タテ）に綿番手が５０〜１２０番手の糸が使用され、緯（ヨコ）に綿番手が５０〜１２０番手の糸が使用されている。
【００１０】
本発明の他の一例としては、ローン生地の打込本数が１５０〜２００本の範囲にある。
【００１１】
本発明の他の一例としては、ローン生地が着用者の口に対向する第１対向部と口を除く着用者の残余の部位に対向する第２対向部とを有し、第１対向部に位置するローン生地の密度が第２対向部に位置するローン生地の密度よりも低く、第１対向部に位置するローン生地の通気性が第２対向部に位置するローン生地の通気性よりも高い。
【００１２】
本発明の他の一例としては、第１対向部に位置するローン生地の打込本数が１５０〜１７０本の範囲にあり、第２対向部に位置するローン生地の打込本数が１７０〜２００本の範囲にある。
【００１３】
本発明の他の一例として、マスク本体の上端縁部では、繊維不織布の上端縁から上方へ延出する布帛の上端縁部が繊維不織布の上端縁部の非肌対向面の側に折り返されているとともに、折り返された布帛の上端縁部の非肌対向面に接合用第１繊維不織布が重なり、布帛の折り返された上端縁部が繊維不織布の上端縁部と接合用第１繊維不織布とに挟まれた状態で、布帛と繊維不織布と接合用第１繊維不織布とが溶着され、マスク本体の下端縁部では、繊維不織布の下端縁から下方へ延出する布帛の下端縁部が繊維不織布の下端縁部の非肌対向面の側に折り返されているとともに、折り返された布帛の下端縁部の非肌対向面に接合用第２繊維不織布が重なり、布帛の折り返された下端縁部が繊維不織布の下端縁部と接合用第２繊維不織布とに挟まれた状態で、布帛と繊維不織布と接合用第２繊維不織布とが溶着されている。
【００１４】
本発明の他の一例として、マスク本体の左側縁部では、布帛の左側縁部の肌対向面と繊維不織布の左側縁部の非肌対向面とに接合用第３繊維不織布が重なり、布帛の左側縁部と繊維不織布の左側縁部とが接合用第３繊維不織布に挟まれた状態で、布帛と繊維不織布と接合用第３繊維不織布とが溶着され、マスク本体の右側縁部では、布帛の右側縁部の肌対向面と繊維不織布の右側縁部の非肌対向面とに接合用第４繊維不織布が重なり、布帛の右側縁部と繊維不織布の右側縁部とが接合用第４繊維不織布に挟まれた状態で、布帛と繊維不織布と接合用第４繊維不織布とが溶着されている。
【００１５】
本発明の他の一例として、マスク本体の上端縁部及び左側縁部が交差する上方第１角部では、前記折り返された布帛の非肌対向面に接合用第１繊維不織布が重なるとともに、布帛の肌対向面と接合用第１繊維不織布の非肌対向面とに接合用第３繊維不織布が重なり、布帛と繊維不織布と接合用第１繊維不織布とが接合用第３繊維不織布に挟まれた状態で、布帛と繊維不織布と接合用第１繊維不織布と接合用第３繊維不織布とが溶着され、マスク本体の上端縁部及び右側縁部が交差する上方第２角部では、折り返された布帛の非肌対向面に接合用第１繊維不織布が重なるとともに、布帛の肌対向面と接合用第１繊維不織布の非肌対向面とに接合用第４繊維不織布が重なり、布帛と繊維不織布と接合用第１繊維不織布とが接合用第４繊維不織布に挟まれた状態で、布帛と繊維不織布と接合用第１繊維不織布と接合用第４繊維不織布とが溶着され、マスク本体の下端縁部及び左側縁部が交差する下方第１角部では、折り返された布帛の非肌対向面に接合用第２繊維不織布が重なるとともに、布帛の肌対向面と接合用第２繊維不織布の非肌対向面とに接合用第３繊維不織布が重なり、布帛と繊維不織布と接合用第２繊維不織布とが接合用第３繊維不織布に挟まれた状態で、布帛と繊維不織布と接合用第２繊維不織布と接合用第３繊維不織布とが溶着され、マスク本体の下端縁部及び右側縁部が交差する下方第２角部では、折り返された布帛の非肌対向面に接合用第２繊維不織布が重なるとともに、布帛の肌対向面と接合用第２繊維不織布の非肌対向面とに接合用第４繊維不織布が重なり、布帛と繊維不織布と接合用第２繊維不織布とが接合用第４繊維不織布に挟まれた状態で、布帛と繊維不織布と接合用第２繊維不織布と接合用第４繊維不織布とが溶着されている。
【発明の効果】
【００１６】
本発明に係る衛生マスクによれば、マスク本体が衛生マスクを着用する着用者の顔面の側に位置する所定面積の布帛と布帛の反対側に位置する所定面積の繊維不織布とから形成され、衛生マスクの着用中に布帛が着用者の肌に当接（接触）するから、衛生マスクの着用中に着用者の肌に不快な感触を与えることはなく、衛生マスクの着用中に着用者の肌にベタつかずに滑らかな感触を与えることができるとともに、着用中に着用者の肌にサラサラとした良好な感触を与えることができる。
【００１７】
布帛が織物であり、マスク本体を形成する繊維不織布が塵埃及び粒子を捕集するフィルタとしての機能を有し、マスク本体を形成する織物が着用中に着用者の湿気を吸湿する吸湿機能と着用中に着用者に滑らかな肌触りを感じさせる好感触機能とを有する衛生マスクは、繊維不織布のフィルタ機能を利用して空気に含まれる塵埃や粒子（微細粒子）、花粉を除去することができ、衛生マスクによって塵埃や粒子（微細粒子）、花粉が除去された清浄な空気を作ることができる。衛生マスクは、織物の吸湿機能を利用して衛生マスクの着用中に織物に着用者の汗や呼気を吸湿させることができ、衛生マスクの着用中における着用者の肌のサラッと感を保持することができる。衛生マスクは、織物の好感触機能によってマスクの着用中に着用者の肌に滑らかでベタつかずにサラサラとした良好な感触を与えることができる。
【００１８】
織物が細い織り糸を密に織った平織りのローン生地であり、ローン生地の経（タテ）に綿番手が５０〜１２０番手の糸が使用され、ローン生地の緯（ヨコ）に綿番手が５０〜１２０番手の糸が使用されている衛生マスクは、前記綿番手の経（タテ）糸と緯（ヨコ）糸とを使用することで、平織りのローン生地に優れた吸湿機能を付与することができ、ローン生地の優れた吸湿機能を利用して衛生マスクの着用中に織物に着用者の汗や呼気を吸湿させることができるとともに、衛生マスクの着用中における着用者の肌のサラッと感を確実に保持することができる。衛生マスクは、平織りのローン生地に優れた好感触機能を付与することができ、ローン生地の優れた好感触機能によってマスクの着用中に着用者の肌に滑らかな感触を与えることができるとともに、着用中に着用者の肌にベタつかずにサラサラとした良好な感触を与えることができる。
【００１９】
ローン生地の打込本数が１５０〜２００本の範囲にある衛生マスクは、ローン生地の打込本数を前記範囲にすることで、ローン生地が最適な密度を有し、ローン生地に優れた吸湿機能と優れた好感触機能とを付与することができる。衛生マスクは、前記打込本数のローン生地の優れた吸湿機能を利用して衛生マスクの着用中に織物に着用者の汗や呼気を吸湿させることができ、衛生マスクの着用中における着用者の肌のサラッと感を確実に保持することができる。衛生マスクは、前記打込本数のローン生地の優れた好感触機能によってマスクの着用中に着用者の肌に滑らかな感触を与えることができ、着用中に着用者の肌にベタつかずにサラサラとした良好な感触を与えることができる。
【００２０】
ローン生地が着用者の口に対向する第１対向部と口を除く着用者の残余の部位に対向する第２対向部とを有し、第１対向部に位置するローン生地の密度が第２対向部に位置するローン生地の密度よりも低く、第１対向部に位置するローン生地の通気性が第２対向部に位置するローン生地の通気性よりも高い衛生マスクは、第１対向部に位置するローン生地の密度が第２対向部に位置するローン生地の密度よりも低く、第１対向部に位置するローン生地の通気性が第２対向部に位置するローン生地の通気性よりも高いから、第１対向部に位置するローン生地が着用者の呼吸を邪魔することがなく、衛生マスクの着用中に着用者が楽に呼吸することができる。衛生マスクは、第２対向部に位置するローン生地の密度が第１対向部に位置するローン生地の密度よりも高いから、口を除く着用者の残余の部位に当接（接触）するローン生地が優れた吸湿機能と優れた好感触機能とを有し、第２対向部に位置するローン生地の優れた吸湿機能を利用して衛生マスクの着用中に織物に着用者の汗や呼気を吸湿させることができ、衛生マスクの着用中における着用者の肌のサラッと感を確実に保持することができるとともに、第２対向部に位置するローン生地の優れた好感触機能によって衛生マスクの着用中に着用者の肌に滑らかな感触を与えることができ、着用中に着用者の肌にベタつかずにサラサラとした良好な感触を与えることができる。
【００２１】
第１対向部に位置するローン生地の打込本数が１５０〜１７０本の範囲にあり、第２対向部に位置するローン生地の打込本数が１７０〜２００本の範囲にある衛生マスクは、第１対向部に位置するローン生地の打込本数が前記範囲にあり、第２対向部に位置するローン生地の打込本数が前記範囲にあるから、第１対向部に位置するローン生地の密度を第２対向部に位置するローン生地の密度よりも低くすることができるとともに、第１対向部に位置するローン生地の通気性を第２対向部に位置するローン生地の通気性よりも高くすることができ、第１対向部に位置するローン生地が着用者の呼吸を邪魔することがなく、衛生マスクの着用中に着用者が楽に呼吸することができる。衛生マスクは、第２対向部に位置する前記打込本数のローン生地の密度を第１対向部に位置する前記打込本数のローン生地の密度よりも高くすることができるから、口を除く着用者の残余の部位に当接（接触）するローン生地が優れた吸湿機能と優れた好感触機能とを有し、第２対向部に位置するローン生地の優れた吸湿機能を利用して衛生マスクの着用中に織物に着用者の汗や呼気を吸湿させることができ、衛生マスクの着用中における着用者の肌のサラッと感を確実に保持することができるとともに、第２対向部に位置するローン生地の優れた好感触機能によって衛生マスクの着用中に着用者の肌に滑らかな感触を与えることができ、着用中に着用者の肌にベタつかずにサラサラとした良好な感触を与えることができる。
【００２２】
マスク本体の上端縁部において、繊維不織布の上端縁から上方へ延出する布帛の上端縁部が繊維不織布の上端縁部の非肌対向面の側に折り返されているとともに、折り返された布帛の上端縁部の非肌対向面に接合用第１繊維不織布が重なり、布帛の折り返された上端縁部が繊維不織布の上端縁部と接合用第１繊維不織布とに挟まれた状態で、布帛と繊維不織布と接合用第１繊維不織布とが溶着され、マスク本体の下端縁部において、繊維不織布の下端縁から下方へ延出する布帛の下端縁部が繊維不織布の下端縁部の非肌対向面の側に折り返されているとともに、折り返された布帛の下端縁部の非肌対向面に接合用第２繊維不織布が重なり、布帛の折り返された下端縁部が繊維不織布の下端縁部と接合用第２繊維不織布とに挟まれた状態で、布帛と繊維不織布と接合用第２繊維不織布とが溶着されている衛生マスクは、布帛の上端縁部が繊維不織布の上端縁部と接合用第１繊維不織布とに挟まれた状態で、布帛と繊維不織布と接合用第１繊維不織布とが溶着され、布帛の下端縁部が繊維不織布の下端縁部と接合用第２繊維不織布とに挟まれた状態で、布帛と繊維不織布と接合用第２繊維不織布とが溶着されることで、マスク本体の上端縁部及び下端縁部において布帛と繊維不織布とが強固に固着され、マスク本体の上端縁部及び下端縁部において布帛と繊維不織布とが不用意に剥離することはなく、衛生マスクがその形態を保持することができ、繊維不織布のフィルタ機能、織物（ローン生地）の吸湿機能や好感触機能を確実に利用することができる。衛生マスクは、繊維不織布のフィルタ機能によって空気に含まれる塵埃や粒子（微細粒子）、花粉を除去することができ、織物（ローン生地）の吸湿機能によって衛生マスクの着用中における着用者の肌のサラッと感を保持することができるとともに、織物（ローン生地）の好感触機能によって衛生マスクの着用中に着用者の肌に滑らかでサラサラとした良好な感触を与えることができる。
【００２３】
マスク本体の左側縁部において、布帛の左側縁部の肌対向面と繊維不織布の左側縁部の非肌対向面とに接合用第３繊維不織布が重なり、布帛の左側縁部と繊維不織布の左側縁部とが接合用第３繊維不織布に挟まれた状態で、布帛と繊維不織布と接合用第３繊維不織布とが溶着され、マスク本体の右側縁部において、布帛の右側縁部の肌対向面と繊維不織布の右側縁部の非肌対向面とに接合用第４繊維不織布が重なり、布帛の右側縁部と繊維不織布の右側縁部とが接合用第４繊維不織布に挟まれた状態で、布帛と繊維不織布と接合用第４繊維不織布とが溶着されている衛生マスクは、布帛の左側縁部と繊維不織布の左側縁部とが接合用第３繊維不織布に挟まれた状態で、布帛と繊維不織布と接合用第３繊維不織布とが溶着され、布帛の右側縁部と繊維不織布の右側縁部とが接合用第４繊維不織布に挟まれた状態で、布帛と繊維不織布と接合用第４繊維不織布とが溶着されることで、マスク本体の左側縁部及び右側縁部において布帛と繊維不織布とが強固に固着され、マスク本体の左側縁部及び右側縁部において布帛と繊維不織布とが不用意に剥離することはなく、衛生マスクがその形態を保持することができ、繊維不織布のフィルタ機能、織物（ローン生地）の吸湿機能や好感触機能を確実に利用することができる。衛生マスクは、繊維不織布のフィルタ機能によって空気に含まれる塵埃や粒子（微細粒子）、花粉を除去することができ、織物（ローン生地）の吸湿機能によって衛生マスクの着用中における着用者の肌のサラッと感を保持することができるとともに、織物（ローン生地）の好感触機能によって衛生マスクの着用中に着用者の肌に滑らかでサラサラとした良好な感触を与えることができる。
【００２４】
マスク本体の上端縁部及び左側縁部が交差する上方第１角部において、折り返された布帛の非肌対向面に接合用第１繊維不織布が重なるとともに、布帛の肌対向面と接合用第１繊維不織布の非肌対向面とに接合用第３繊維不織布が重なり、布帛と繊維不織布と接合用第１繊維不織布とが接合用第３繊維不織布に挟まれた状態で、布帛と繊維不織布と接合用第１繊維不織布と接合用第３繊維不織布とが溶着され、マスク本体の上端縁部及び右側縁部が交差する上方第２角部において、折り返された布帛の非肌対向面に接合用第１繊維不織布が重なるとともに、布帛の肌対向面と接合用第１繊維不織布の非肌対向面とに接合用第４繊維不織布が重なり、布帛と繊維不織布と接合用第１繊維不織布とが接合用第４繊維不織布に挟まれた状態で、布帛と繊維不織布と接合用第１繊維不織布と接合用第４繊維不織布とが溶着され、マスク本体の下端縁部及び左側縁部が交差する下方第１角部において、折り返された布帛の非肌対向面に接合用第２繊維不織布が重なるとともに、布帛の肌対向面と接合用第２繊維不織布の非肌対向面とに接合用第３繊維不織布が重なり、布帛と繊維不織布と接合用第２繊維不織布とが接合用第３繊維不織布に挟まれた状態で、布帛と繊維不織布と接合用第２繊維不織布と接合用第３繊維不織布とが溶着され、マスク本体の下端縁部及び右側縁部が交差する下方第２角部において、折り返された布帛の非肌対向面に接合用第２繊維不織布が重なるとともに、布帛の肌対向面と接合用第２繊維不織布の非肌対向面とに接合用第４繊維不織布が重なり、布帛と繊維不織布と接合用第２繊維不織布とが接合用第４繊維不織布に挟まれた状態で、布帛と繊維不織布と接合用第２繊維不織布と接合用第４繊維不織布とが溶着されている衛生マスクは、上方第１角部において、布帛と繊維不織布と接合用第１繊維不織布とが接合用第３繊維不織布に挟まれた状態で、布帛と繊維不織布と接合用第１繊維不織布と接合用第３繊維不織布とが溶着され、上方第２角部において、布帛と繊維不織布と接合用第１繊維不織布とが接合用第４繊維不織布に挟まれた状態で、布帛と繊維不織布と接合用第１繊維不織布と接合用第４繊維不織布とが溶着され、下方第１角部において、布帛と繊維不織布と接合用第２繊維不織布とが接合用第３繊維不織布に挟まれた状態で、布帛と繊維不織布と接合用第２繊維不織布と接合用第３繊維不織布とが溶着されるとともに、下方第２角部において、布帛と繊維不織布と接合用第２繊維不織布とが接合用第４繊維不織布に挟まれた状態で、布帛と繊維不織布と接合用第２繊維不織布と接合用第４繊維不織布とが溶着されることで、マスク本体の上方第１角部や上方第２角部、下方第１角部、下方第２角部において布帛と繊維不織布とが強固に固着され、マスク本体の上方第１角部や上方第２角部、下方第１角部、下方第２角部において布帛と繊維不織布とが不用意に剥離することはなく、衛生マスクがその形態を保持することができ、繊維不織布のフィルタ機能、織物（ローン生地）の吸湿機能や好感触機能を確実に利用することができる。衛生マスクは、繊維不織布のフィルタ機能によって空気に含まれる塵埃や粒子（微細粒子）、花粉を除去することができ、織物（ローン生地）の吸湿機能によって衛生マスクの着用中における着用者の肌のサラッと感を保持することができるとともに、織物（ローン生地）の好感触機能によって衛生マスクの着用中に着用者の肌に滑らかでサラサラとした良好な感触を与えることができる。
【図面の簡単な説明】
【００２５】
【図１】一例として示す衛生マスクの正面図。
【図２】図１の衛生マスクの背面図。
【図３】衛生マスクの分解斜視図。
【図４】図１のＡ−Ａ線断面図。
【図５】図１のＢ−Ｂ線断面図。
【図６】図１のＣ−Ｃ線断面図。
【図７】衛生マスクの着用状態を示す斜視図。
【図８】他の一例として示す衛生マスクの背面図。
【図９】図８のＤ−Ｄ線断面図。
【図１０】図８のＥ−Ｅ線断面図。
【発明を実施するための形態】
【００２６】
一例として示す衛生マスク１０Ａの正面図である図１等の添付の図面を参照し、本発明に係る衛生マスクの詳細を説明すると、以下のとおりである。なお、図２は、図１の衛生マスク１０Ａの背面図であり、図３は、図１の衛生マスク１０Ａの分解斜視図である。図４は、図１のＡ−Ａ線断面図であり、図５は、図１のＢ−Ｂ線断面図である。図６は、図１のＣ−Ｃ線断面図であり、図７は、衛生マスク１０Ａの着用状態を示す斜視図である。図１では、縦方向を矢印Ｘで示し、横方向を矢印Ｙで示す。
【００２７】
図１に示す衛生マスク１０Ａは、着用者４６の鼻及び口を覆う所定面積のマスク本体１１と、着用者４６の両耳に引っ掛ける一対の耳掛け紐１２とから形成されている。マスク本体１１は、横方向へ延びる上端縁部１３及び横方向へ延びる下端縁部１４と、縦方向へ延びる左側縁部１５及び縦方向へ延びる右側縁部１６とを有する。マスク本体１１は、衛生マスク１０Ａを着用する着用者４６の顔面の側に位置する所定面積の１枚（１層）の織物１７（布帛）と、織物１７（布帛）の反対側に位置する所定面積の２枚（２層）の繊維不織布１８ａ，１８ｂ（第１繊維不織布１８ａ及び第２繊維不織布１８ｂ）とから形成されている。
【００２８】
マスク本体１１では、織物１７と繊維不織布１８ａ，１８ｂとが織物１７、繊維不織布１８ｂ（第２繊維不織布１８ｂ）、繊維不織布１８ａ（第１繊維不織布１８ａ）の順でそれらの厚み方向へ重なり合っている。マスク本体１１では、重なり合う織物１７（後記するローン生地１７ａ）と繊維不織布１８ａ，１８ｂとが横方向へ延びる折曲線１９で折り畳まれ、使用時に非肌対向面の側に突出する複数のプリーツ２０が形成されている。プリーツ２０では、折り畳まれた繊維不織布１８ａ，１８ｂ及び織物１７が重なり合い、プリーツ２０が４枚（４層）の繊維不織布１８ａ，１８ｂ及び２枚（２層）の織物１７の６枚（６層）から作られている。
【００２９】
織物１７には、細い織り糸を密に織った平織りのローン生地１７ａが使用されている。なお、織物１７として、ローン生地１７ａの他に、ブロード生地やオックスフォード生地、シャンプレー生地、ボイル生地等の平織りの織物１７を使用することもできる。織物１７（ローン生地１７ａや他の織物）を形成する糸には、吸湿性と保温性があって通気性に優れ、サラッとした感触がある綿（コットン）が使用されているが、綿とポリエステルから作られた混紡糸を使用することもできる。
【００３０】
ローン生地１７ａは、横方向へ長い矩形にカットされ、横方向へ延びる上端縁部２１及び横方向へ延びる下端縁部２２と、縦方向へ延びる左側縁部２３及び縦方向へ延びる右側縁部２４とを有し、着用者４６の口に対向する第１対向部２５と、口を除く着用者４６の残余の部位に対向する第２対向部２６とを有するとともに、着用者４６の肌に対向する肌対向面２７と、着用者４６の肌に非対向の非肌対向面２８とを有する。第１対向部２５は、マスク本体１１の上下方向中央部であり、プリーツ２９が形成されている部位である。第１対向部２５（第１対向中央部）は、ローン生地１７ａの左側縁部２３と右側縁部２４との間で横方向へ延びている。
【００３１】
第２対向部２６は、マスク本体１１の上下方向中央部を除く上部（第２対向上部）及び下部（第２対向下部）であり、プリーツ２０が形成されていない部位である。第２対向部２６（第２対向上部及び第２対向下部）は、ローン生地１７ａの左側縁部２３と右側縁部２４との間で横方向へ延びている。ローン生地１７ａ（第１対向中央部、第２対向上部、第２対向下部）は、衛生マスク１０Ａの着用中に着用者４６に柔らかで良好な肌触りを感じさせる好感触機能を有するとともに、衛生マスク１０Ａの着用中に着用者４６から発散された湿気（汗や呼気）を吸湿する吸湿機能を有する。
【００３２】
それら繊維不織布１８ａ，１８ｂは、横方向へ長い矩形にカットされ、横方向へ延びる上端縁部２９及び横方向へ延びる下端縁部３０と、縦方向へ延びる左側縁部３０及び縦方向へ延びる右側縁部３１とを有するとともに、着用者４６の肌に対向する肌対向面３３と、着用者４６の肌に非対向の非肌対向面３４とを有する。繊維不織布１８ａには、メルトブローン繊維不織布とスパンボンド繊維不織布とのうちのいずれか一方が使用され、繊維不織布１８ｂには、メルトブローン繊維不織布とスパンボンド繊維不織布とのうちのいずれか他方が使用されている。なお、繊維不織布１８ａ，１８ｂには、メルトブローン繊維不織布とスパンボンド繊維不織布との複合不織布を使用することもできる。また、繊維不織布１８ａ，１８ｂには、他の種類の繊維不織布を使用することもできる。繊維不織布１８ｂは、空気に含まれる塵埃及び粒子（微細粒子）、花粉を捕集するフィルタとしての機能を有する。
【００３３】
ローン生地１７ａ（織物）を作る糸には、経（タテ）に綿番手が５０〜１２０番手の糸が使用され、緯（ヨコ）に綿番手が５０〜１２０番手の糸が使用されている。なお、経（タテ）に使用される糸の綿番手は、７０〜１００番手が好ましく、緯（ヨコ）に使用される糸の綿番手は、７０〜１２０番手が好ましい。経（タテ）に使用される糸の綿番手が５０番手未満であって緯（ヨコ）に使用される糸の綿番手が５０番手未満では、糸の太さが大きくなってその糸から作られたローン生地１７ａの肌触りがガサガサして低下し、着用者４６の不快感を与える場合がある。また、糸が密にならずローン生地１７ａの吸湿機能が低下する。衛生マスク１０Ａでは、前記綿番手の経（タテ）糸と緯（ヨコ）糸とを使用することで、平織りのローン生地１７ａに優れた吸湿機能と優れた好感触機能とを付与することができる。
【００３４】
ローン生地１７ａは、その打込本数が１５０〜２００本の範囲、好ましくは、１６０〜２００本の範囲にある。ローン生地１７ａの打込本数が１５０本未満では、ローン生地１７ａの密度が低下してローン生地１７ａの肌触りが低下し、ローン生地１７ａが着用者４６の肌に当接（接触）したときに着用者４６の不快感を与える場合があるとともに、ローン生地１７ａの吸湿機能が低下し、着用者４６の汗や呼気を十分に吸湿することができない。ローン生地１７ａの打込本数が２００本を超過すると、ローン生地１７ａの密度が必要以上に増加し、ローン生地１７ａの通気性が低下して衛生マスク１０Ａを着用した着用者４６のスムーズな呼吸を妨げる場合がある。
【００３５】
衛生マスク１０Ａは、ローン生地１７ａの打込本数を１５０〜２００本の範囲（好ましくは、１６０〜２００本の範囲）にすることで、ローン生地１７ａが最適な密度を有し、ローン生地１７ａに優れた吸湿機能と優れた好感触機能とを付与することができるとともに、ローン生地１７ａの通気性を最適に保持することができ、衛生マスク１０Ａを着用した着用者４６が違和感なく呼吸することができる。
【００３６】
それら耳掛け紐１２は、弾性的に伸縮可能であって不織布や織布、プラスチックフィルム、ゴム紐等の公知の材料によって作られている。それら耳掛け紐１２は、マスク本体１１の左側縁部１５及び右側縁部１６に取り付けられている。耳掛け紐１２の一方は、その一端部３５がマスク本体１１の上端縁部１３及び左側縁部１５が交差する上方第１角部３７に固着（溶着）され、その他端部３６がマスク本体１１の下端縁部１４及び左側縁部１５が交差する下方第１角部３８に固着（溶着）されている。
【００３７】
耳掛け紐１２の他方は、その一端部３６がマスク本体１１の上端縁部１３及び右側縁部１６が交差する上方第２角部３９に固着（溶着）され、その他端部３６がマスク本体１１の下端縁部１４及び右側縁部１５が交差する下方第２角部４０に強固に固着（溶着）されている。マスク本体１１の上方第１角部３７及び上方第２角部３９や下方第１角部３８及び下方第２角部４０に対する耳掛け紐１２の固着は、ソニックシール（超音波シール）が利用されている。
【００３８】
マスク本体１１では、ローン生地１７ａの非肌対向面２８と繊維不織布１８ｂの肌対向面３３とが重なり合い、繊維不織布１８ｂの非肌対向面３４と繊維不織布１８ａの肌対向面３３とが重なり合っている。マスク本体１１の上端縁部１３では、図４に示すように、繊維不織布１８ａ，１８ｂの上端縁から上方へローン生地１７ａ（布帛）の上端縁部２１が延出し、繊維不織布１８ａ，１８ｂの上端縁から上方へ延出するローン生地１７ａの上端縁部２１が繊維不織布１８ａ，１８ｂの上端縁部２９の非肌対向面３４の側に折り返されている。
【００３９】
折り返されたローン生地１７ａの上端縁部２１の非肌対向面２８（折り返される前の肌対向面２７）に横方向へ延びる矩形の接合用第１繊維不織布４１が配置され、折り返されたローン生地１７ａの上端縁部２１が繊維不織布１８ａの上端縁部２９の非肌対向面３４に重なっているとともに、折り返されたローン生地１７ａの上端縁部２１の非肌対向面２８（折り返される前の肌対向面２７）に接合用第１繊維不織布４１が重なっている。
【００４０】
マスク本体１１の上端縁部１３では、ローン生地１７ａ（布帛）の折り返された上端縁部２１が繊維不織布１８ａ，１８ｂの上端縁部２９と接合用第１繊維不織布４１とに挟まれた状態で、ローン生地１７ａと繊維不織布１８ａ，１８ｂと接合用第１繊維不織布４１とがソニックシールによる溶着によって強固に固着されている。マスク本体１１の上端縁部１３には、ローン生地１７ａと繊維不織布１８ａ，１８ｂと接合用第１繊維不織布４１を溶着した複数のシール部４２が横方向へ並んでいる。マスク本体１１の上端縁部１３におけるローン生地１７ａと繊維不織布１８ａと間には、横方向へ延びる塑性変形可能な金属板５０が設置されている。
【００４１】
マスク本体１１の下端縁部１４では、繊維不織布１８ａ，１８ｂの下端縁から下方へローン生地１７ａ（布帛）の下端縁部２２が延出し、繊維不織布１８ａ，１８ｂの下端縁から下方へ延出するローン生地１７ａの下端縁部２２が繊維不織布１８ａ，１８ｂの下端縁部３０の非肌対向面３４の側に折り返されている。折り返されたローン生地１７ａの下端縁部２２の非肌対向面２８（折り返される前の肌対向面２７）に横方向へ延びる矩形の接合用第２繊維不織布４３が配置され、折り返されたローン生地１７ａの下端縁部２２が繊維不織布１８ａの下端縁部３０の非肌対向面３４に重なっているとともに、折り返されたローン生地１７ａの下端縁部２２の非肌対向面２８（折り返される前の肌対向面２７）に接合用第２繊維不織布４３が重なっている。
【００４２】
マスク本体１１の下端縁部１４では、ローン生地１７ａ（布帛）の折り返された下端縁部２２が繊維不織布１８ａ，１８ｂの下端縁部３０と接合用第２繊維不織布４３とに挟まれた状態で、ローン生地１７ａと繊維不織布１８ａ，１８ｂと接合用第２繊維不織布４３とがソニックシールによる溶着によって強固に固着されている。マスク本体１１の下端縁部１４には、ローン生地１７ａと繊維不織布１８ａ，１８ｂと接合用第２繊維不織布４３を溶着した複数のシール部４２が横方向へ並んでいる。
【００４３】
マスク本体１１の左側縁部１５には、縦方向へ延びる接合用第３繊維不織布４４が配置されている。マスク本体１１の左側縁部１５では、図５に示すように、接合用第３繊維不織布４４がローン生地１７ａ（布帛）及び繊維不織布１８ａ，１８ｂの左側縁で折り曲げられ、ローン生地１７ａの左側縁部２３の肌対向面２７と繊維不織布１８ａ，１８ｂの左側縁部３１の非肌対向面３４とに接合用第３繊維不織布４４が重なっている。
【００４４】
マスク本体１１の左側縁部１５では、ローン生地１７ａ（布帛）の左側縁部２３と繊維不織布１８ａ，１８ｂの左側縁部３１とが接合用第３繊維不織布４４に挟まれた状態で、ローン生地１７ａと繊維不織布１８ａ，１８ｂと接合用第３繊維不織布４４とがソニックシールによる溶着によって強固に固着されている。マスク本体１１の左側縁部１５には、ローン生地１７ａと繊維不織布１８ａ，１８ｂと接合用第３繊維不織布４４を溶着した複数のシール部４２が縦方向へ並んでいる。
【００４５】
マスク本体１１の右側縁部１６には、縦方向へ延びる接合用第４繊維不織布４５が配置されている。マスク本体１１の右側縁部１６では、接合用第４繊維不織布４５がローン生地１７ａ（布帛）及び繊維不織布１８ａ，１８ｂの右側縁で折り曲げられ、ローン生地１７ａの右側縁部２４の肌対向面２７と繊維不織布１８ａ，１８ｂの右側縁部３２の非肌対向面３４とに接合用第４繊維不織布４５が重なっている。
【００４６】
マスク本体１１の右側縁部１６では、ローン生地１７ａ（布帛）の右側縁部２４と繊維不織布１８ａ，１８ｂの右側縁部３２とが接合用第４繊維不織布４５に挟まれた状態で、ローン生地１７ａと繊維不織布１８ａ，１８ｂと接合用第４繊維不織布４５とがソニックシールによる溶着（熱溶着）によって強固に固着されている。マスク本体１１の右側縁部１６には、ローン生地１７ａと繊維不織布１８ａ，１８ｂと接合用第４繊維不織布４５を溶着した複数のシール部４２が縦方向へ並んでいる。マスク本体１１では、その左側縁部１５及び右側縁部１６において、プリーツ２０を形成するローン生地１７ａと繊維不織布１８ａ，１８ｂとが折り畳まれた状態で縦方向へ並ぶ複数のシール部４２で固着されることで、マスク本体１１（ローン生地１７ａ及び繊維不織布１８ａ，１８ｂ）のプリーツ２０の形態が保持されている。
【００４７】
マスク本体１１の上端縁部１３及び左側縁部１５が交差する上方第１角部３７では、図６に示すように、折り返されたローン生地１７ａ（布帛）の上方第１角部３７に位置する上端縁部２１の非肌対向面２８（折り返される前の肌対向面２７）と上方第１角部３７に位置する接合用第１繊維不織布４１の一方の端部とが重なるとともに、上方第１角部３７に位置する接合用第３繊維不織布４４がローン生地１７ａの肌対向面２７と接合用第１繊維不織布４１の非肌対向面とに重なっている。
【００４８】
マスク本体１１の上方第１角部３７では、ローン生地１７ａ（布帛）と繊維不織布１８ａ，１８ｂと接合用第１繊維不織布４１の一方の端部とが接合用第３繊維不織布４４に挟まれた状態で、ローン生地１７ａと繊維不織布１８ａ，１８ｂと接合用第１繊維不織布４１と接合用第３繊維不織布４４とがソニックシールによる溶着によって強固に固着されている。
【００４９】
マスク本体１１の上端縁部１３及び右側縁部１６が交差する上方第２角部３９では、折り返されたローン生地１７ａ（布帛）の上方第２角部３９に位置する上端縁部２１の非肌対向面２８（折り返される前の肌対向面２７）と上方第２角部３９に位置する接合用第１繊維不織布４１の他方の端部とが重なるとともに、上方第２角部３９に位置する接合用第４繊維不織布４５がローン生地１７ａの肌対向面２７と接合用第１繊維不織布４１の非肌対向面とに重なっている。
【００５０】
マスク本体１１の上方第２角部３９では、ローン生地１７ａ（布帛）と繊維不織布１８ａ，１８ｂと接合用第１繊維不織布４１の他方の端部とが接合用第４繊維不織布４５に挟まれた状態で、ローン生地１７ａと繊維不織布１８ａ，１８ｂと接合用第１繊維不織布４１と接合用第４繊維不織布４５とがソニックシールによる溶着によって強固に固着されている。
【００５１】
マスク本体１１の下端縁部１４及び左側縁部１５が交差する下方第１角部３８では、折り返されたローン生地１７ａ（布帛）の下方第１角部３８に位置する下端縁部２２の非肌対向面２８（折り返される前の肌対向面２７）と下方第１角部３８に位置する接合用第２繊維不織布４３の一方の端部とが重なるとともに、下方第１角部３８に位置する接合用第３繊維不織布４４がローン生地１７ａの肌対向面２７と接合用第２繊維不織布４３の非肌対向面とに重なっている。
【００５２】
マスク本体１１の下方第１角部３８では、ローン生地１７ａ（布帛）と繊維不織布１８ａ，１８ｂと接合用第２繊維不織布４３の一方の端部とが接合用第３繊維不織布４４に挟まれた状態で、ローン生地１７ａと繊維不織布１８ａ，１８ｂと接合用第２繊維不織布４３と接合用第３繊維不織布４４とがソニックシールによる溶着によって強固に固着されている。
【００５３】
マスク本体１１の下端縁部１４及び右側縁部１６が交差する下方第２角部４０では、折り返されたローン生地１７ａ（布帛）の下方第２角部４０に位置する下端縁部２２の非肌対向面２８（折り返される前の肌対向面２７）と下方第２角部４０に位置する接合用第２繊維不織布４３の他方の端部とが重なるとともに、下方第２角部４０に位置する接合用第４繊維不織布４５がローン生地１７ａの肌対向面２７と接合用第２繊維不織布４３の非肌対向面とに重なっている。
【００５４】
マスク本体１１の下方第２角部４０では、ローン生地１７ａ（布帛）と繊維不織布１８ａ，１８ｂと接合用第２繊維不織布４３の他方の端部とが接合用第４繊維不織布４５に挟まれた状態で、ローン生地１７ａと繊維不織布１８ａ，１８ｂと接合用第２繊維不織布４３と接合用第４繊維不織布４５とがソニックシールによる溶着によって強固に固着されている。接合用第１繊維不織布４１〜接合用第４繊維不織布４５に使用する繊維不織布は、繊維不織布１８ａ，１８ｂのそれと同一である。
【００５５】
マスク本体１１では、その上下端縁部１３，１４や左右側縁部１５，１６、上方第１角部３７及び上方第２角部３９、下方第１角部３８及び下方第２角部４０を除く部位（第１対向部２５及び第２対向部２６）においてローン生地１７ａ（布帛）と繊維不織布１８ａと繊維不織布１８ｂとが固着されていない。従って、第１対向部２５及び第２対向部２６においてローン生地１７ａと繊維不織布１８ａと繊維不織布１８ｂとが部分的に固着されている場合と比較し、第１対向部２５及び第２対向部２６においてマスク本体１１が柔軟性及び通気性に優れている。
【００５６】
衛生マスク１０Ａを着用するには、マスク本体１１のローン生地１７ａ（布帛）を着用者４６の肌（口、鼻）に対向させた状態で、耳掛け紐１２を着用者４６が耳に掛ける。着用中の衛生マスク１０Ａでは、ローン生地１７ａの第１対向部２５が着用者４６の口に当接（接触）し、ローン生地１７ａの第２対向部２６が着用者４６の口を除く残余の部位に当接（接触）する。マスク本体１１では、着用者４６の顔面の凸形状に合わせてプリーツ２０が着用者４６の非肌対向面の側（外方）に突出する。
【００５７】
衛生マスク１０Ａの着用中に着用者４６の呼吸によって空気がマスク本体１１に吸い込まれると、繊維不織布１８のフィルタ機能によって空気に含まれる塵埃や粒子（微細粒子）、花粉が繊維不織布１８に捕集される。着用者４６は、塵埃や粒子（微細粒子）、花粉が除去された清浄空気を吸うことができる。衛生マスク１０Ａの着用中に着用者４６の口や鼻、頬（皮膚）にローン生地１７ａが当接（接触）し、着用者４６の汗や呼気がローン生地１７ａ（コットン）に吸湿される。
【００５８】
衛生マスク１０Ａは、マスク本体１１がマスク１０Ａを着用する着用者４６の顔面の側に位置する所定面積のローン生地１７ａ（布帛）とローン生地１７ａの反対側に位置する所定面積の繊維不織布１８ａ，１８ｂとから形成され、マスク本体１１を形成する繊維不織布１８ｂが塵埃及び粒子（微細粒子）、花粉を捕集するフィルタとしての機能を有するから、繊維不織布１８ｂのフィルタ機能を利用して空気に含まれる塵埃や粒子（微細粒子）、花粉を除去することができ、マスク本体１１によって塵埃や粒子（微細粒子）、花粉が除去された清浄な空気を作ることができる。
【００５９】
衛生マスク１０Ａは、マスク本体１１を形成するローン生地１７ａ（織物１７）が着用中に着用者４６から発散される湿気を吸湿する吸湿機能を有するから、ローン生地１７ａの吸湿機能を利用してマスク１０Ａの着用中にローン生地１７ａに着用者４６の汗や呼気を吸湿させることができ、マスクの着用中に着用者の肌に滑らかでベタつかずにサラサラとした良好な感触を与えることができるとともに、マスク１０Ａの着用中における着用者４６の肌のサラッと感を保持することができる。
【００６０】
衛生マスク１０Ａは、マスク本体１１を形成するローン生地１７ａ（織物）が着用中に着用者４６に滑らかで良好な肌触りを感じさせる好感触機能を有するから、マスク１０Ａの着用中に着用者４６の肌に不快な感触を与えることはなく、ローン生地１７ａの好感触機能によってマスク１０Ａの着用中に着用者４６の肌に滑らかな感触を与えることができ、着用者４６の肌に滑らかでベタつかずにサラサラとした良好な感触を与えることができる。
【００６１】
衛生マスク１０Ａは、ローン生地１７ａ（布帛）の折り返された上端縁部２１が繊維不織１８ａ，１８ｂの上端縁部２９と接合用第１繊維不織布４１とに挟まれた状態で、ローン生地１７ａと繊維不織布１８ａ，１８ｂと接合用第１繊維不織布４１とがソニックシールによって溶着され、ローン生地１７ａの折り返された下端縁部２２が繊維不織布１８ａ，１８ｂの下端縁部３０と接合用第２繊維不織布４３とに挟まれた状態で、ローン生地１７ａと繊維不織布１８ａ，１８ｂと接合用第２繊維不織布４３とがソニックシールによって溶着されることで、マスク本体１１の上端縁部１３及び下端縁部１４においてローン生地１７ａと繊維不織布１８ａ，１８ｂとが強固に固着され、マスク本体１１の上端縁部１３及び下端縁部１４においてローン生地１７ａと繊維不織布１８ａ，１８ｂとが不用意に剥離することはなく、衛生マスク１０Ａがその形態を保持することができ、繊維不織布１８ａ，１８ｂのフィルタ機能を確実に利用することができるとともに、織物１７（ローン生地１７ａ）の吸湿機能や好感触機能を確実に利用することができる。
【００６２】
衛生マスク１０Ａは、ローン生地１７ａ（布帛）の左側縁部２３と繊維不織布１８ａ，１８ｂの左側縁部３１とが接合用第３繊維不織布４４に挟まれた状態で、ローン生地１７ａと繊維不織布１８ａ，１８ｂと接合用第３繊維不織布４４とがソニックシールによって溶着され、ローン生地１７ａの右側縁部２４と繊維不織布１８ａ，１８ｂの右側縁部３２とが接合用第４繊維不織布４５に挟まれた状態で、ローン生地１７ａと繊維不織布１８ａ，１８ｂと接合用第４繊維不織布４５とがソニックシールによって溶着されることで、マスク本体１１の左側縁部１５及び右側縁部１６においてローン生地１７ａと繊維不織布１８ａ，１８ｂとが強固に固着され、マスク本体１１の左側縁部１５及び右側縁部１６においてローン生地１７ａと繊維不織布１８ａ，１８ｂとが不用意に剥離することはなく、衛生マスク１０Ａがその形態を保持することができ、繊維不織布１８ａ，１８ｂのフィルタ機能を確実に利用することができるとともに、織物１７（ローン生地１７ａ）の吸湿機能や好感触機能を確実に利用することができる。
【００６３】
衛生マスク１０Ａは、上方第１角部３７において、ローン生地１７ａ（布帛）と繊維不織布１８ａ，１８ｂと接合用第１繊維不織布４１とが接合用第３繊維不織布４４に挟まれた状態で、ローン生地１７ａと繊維不織布１８ａ，１８ｂと接合用第１繊維不織布４１と接合用第３繊維不織布４４とがソニックシールによって溶着され、上方第２角部３９において、ローン生地１７ａと繊維不織布１８ａ，１８ｂと接合用第１繊維不織布４１とが接合用第４繊維不織布４５に挟まれた状態で、ローン生地１７ａと繊維不織布１８ａ，１８ｂと接合用第１繊維不織布４１と接合用第４繊維不織布４５とがソニックシールによって溶着され、下方第１角部３８において、ローン生地１７ａと繊維不織布１８ａ，１８ｂと接合用第２繊維不織布４３とが接合用第３繊維不織布４４に挟まれた状態で、ローン生地１７ａと繊維不織布１８ａ，１８ｂと接合用第２繊維不織布４３と接合用第３繊維不織布４４とがソニックシールによって溶着されるとともに、下方第２角部４０において、ローン生地１７ａと繊維不織布１８ａ，１８ｂと接合用第２繊維不織布４３とが接合用第４繊維不織布４５に挟まれた状態で、ローン生地１７ａと繊維不織布１８ａ，１８ｂと接合用第２繊維不織布４３と接合用第４繊維不織布４５とがソニックシールによって溶着されることで、マスク本体１１の上方第１角部３７や上方第２角部３９、下方第１角部３８、下方第２角部４０においてローン生地１７ａと繊維不織布１８ａ，１８ｂとが強固に固着され、マスク本体１１の上方第１角部３７や上方第２角部３９、下方第１角部３８、下方第２角部４０においてローン生地１７ａと繊維不織布１８ａ，１８ｂとが不用意に剥離することはなく、衛生マスク１０Ａがその形態を保持することができ、繊維不織布１８ａ，１８ｂのフィルタ機能を確実に利用することができるとともに、織物１７（ローン生地１７ａ）の吸湿機能や好感触機能を確実に利用することができる。
【００６４】
図８は、他の一例として示す衛生マスク１０Ｂの背面図であり、図９は、図８のＤ−Ｄ線断面図である。図１０は、図８のＥ−Ｅ線断面図である。図８では、縦方向を矢印Ｘで示し、横方向を矢印Ｙで示す。図８に示す衛生マスク１０Ｂが図１のそれと異なるところは、第１対向部２５に位置するローン生地１７ａの密度が第２対向部２６に位置するローン生地１７ａの密度よりも低く、第１対向部２５に位置するローン生地１７ａの通気性が第２対向部２６に位置するローン生地１７ａの通気性よりも高い点にあり、その他の構成は図１の衛生マスク１０Ａのそれらと同一であるから、図１と同一の符号を付すとともに図１の衛生マスク１０Ａの説明を援用することで、この衛生マスク１０Ｂのその他の構成の詳細な説明は省略する。
【００６５】
図８に示す衛生マスク１０Ｂは、着用者４６の鼻及び口を覆う所定面積のマスク本体１１と、着用者４６の両耳に引っ掛ける一対の耳掛け紐１２とから形成されている。マスク本体１１は、横方向へ延びる上端縁部１３及び下端縁部１４と、縦方向へ延びる左側縁部１５及び右側縁部１６とを有する。マスク本体１１は、衛生マスク１０Ｂを着用する着用者４６の顔面の側に位置する所定面積のローン生地１７ａ（織物１７）と、ローン生地１７ａの反対側に位置する所定面積の２枚の繊維不織布１８ａ，１８ｂとから形成されている。
【００６６】
マスク本体１１には、重なり合うローン生地１７ａと繊維不織布１８ａ，１８ｂとが横方向へ延びる折曲線１９で折り畳まれ、使用時に非肌対向面の側に突出する複数のプリーツ２０が形成されている。繊維不織布１８ａ，１８ｂやプリーツ２０は、図１の衛生マスク１０Ａのそれらと同一である。繊維不織布１８ｂは、空気に含まれる塵埃及び粒子（微細粒子）、花粉を捕集するフィルタとしての機能を有する。耳掛け紐１２は、図１の衛生マスク１０Ａのそれと同一であり、マスク本体１１に対する耳掛け紐１２の固着（熱溶着）は、図１の衛生マスク１０Ａの耳掛け紐１２のそれと同一である。
【００６７】
マスク本体１１の上端縁部１３におけるローン生地１７ａと繊維不織布１８ａ，１８ｂと接合用第１繊維不織布４１との固着（溶着）やマスク本体１１の下端縁部１４におけるローン生地１７ａと繊維不織布１８ａ，１８ｂと接合用第２繊維不織布４３との固着（溶着）、マスク本体１１の左側縁部１５におけるローン生地１７ａと繊維不織布１８ａ，１８ｂと接合用第３繊維不織布４４との固着（溶着）、マスク本体１１の右側縁部１６おけるローン生地１７ａと繊維不織布１８ａ，１８ｂと接合用第４繊維不織布４５との固着（溶着）は、図１の衛生マスク１０Ａのマスク本体１１の上端縁部１３や下端縁部１４、左側縁部１５、右側縁部１６おけるそれらと同一である。
【００６８】
マスク本体１１の上方第１角部３７におけるローン生地１７ａと繊維不織布１８ａ，１８ｂと接合用第１繊維不織布４１と接合用第３繊維不織布４４との固着（溶着）、マスク本体１１の上方第２角部３９におけるローン生地１７ａと繊維不織布１８ａ，１８ｂと接合用第１繊維不織布４１と接合用第４繊維不織布４５との固着（溶着）、マスク本体１１の下方第１角部３８におけるローン生地１７ａと繊維不織布１８ａ，１８ｂと接合用第２繊維不織布４３と接合用第３繊維不織布４４との固着（溶着）、マスク本体１１の下方第２角部４０におけるローン生地１７ａと繊維不織布１８ａ，１８ｂと接合用第２繊維不織布４３と接合用第４繊維不織布４５との固着（溶着）は、図１の衛生マスク１０Ａのマスク本体１１の上方第１角部３７や上方第２角部３９、下方第１角部３８、下方第２角部４０おけるそれらと同一である。なお、第１対向部２５及び第２対向部２６では、ローン生地１７ａ（布帛）と繊維不織布１８ａと繊維不織布１８ｂが固着されていない。図８の衛生マスク１０Ｂの着用手順は、図１のそれと同一である。
【００６９】
ローン生地１７ａ（織物）を作る糸には、図１のそれと同様に、経（タテ）に綿番手が５０〜１２０番手（好ましくは、７０〜１００番手）の糸が使用され、緯（ヨコ）に綿番手が５０〜１２０番手（好ましくは、７０〜１２０番手）の糸が使用されている。ローン生地１７ａ（織物１７）は、第１対向部２５（プリーツ２０が形成されたマスク本体１１の上下方向中央部４７）の密度が第２対向部（マスク本体１１の上下方向中央部４７を除くマスク本体１１の上端縁部１３を含む上部４８及びマスク本体１１の下端縁部１４を含む下部４９）の密度よりも低く、第１対向部２５（上下方向中央部４７）の通気性が第２対向部２６（マスク本体１１の上部４８及び下部４９）の通気性よりも高い。ローン生地１７ａの第１対向部２５に４枚（４層）の繊維不織布１８ａ，１８ｂ及び２枚（２層）のローン生地１７ａからなる６枚重ね（６層）のプリーツ２０が作られていたとしても、第１対向部２５の密度が第２対向部２６の密度よりも低く、第１対向部２５の通気性が第２対向部２６の通気性よりも高いから、プリーツ２０が作られた第１対向部２５を空気がスムーズに通流する。
【００７０】
第１対向部２５に位置するローン生地１７ａの打込本数は、１５０〜１７０本の範囲、好ましくは、１６０〜１７０本の範囲にあり、第２対向部２６に位置するローン生地１７ａの打込本数は、１７０〜２００本の範囲、好ましくは、１８０〜２００本の範囲にある。第１対向部２５のローン生地１７ａの打込本数が１５０本未満では、ローン生地１７ａの密度が低下して第１対向部２５のローン生地１７ａの肌触りが低下し、第１対向部２５のローン生地１７ａが着用者４６の肌に当接（接触）したときに着用者４６の不快感を与える場合があるとともに、ローン生地１７ａの吸湿機能が低下し、第１対向部２５において着用者４６の汗や呼気を十分に吸湿することができない。
【００７１】
第１対向部２５のローン生地１７ａの打込本数が１７０本を超過すると、第１対向部２５のローン生地１７ａの密度が必要以上に増加し、ローン生地１７ａの通気性が低下して衛生マスク１０Ｂを着用した着用者４６のスムーズな呼吸を妨げる場合がある。衛生マスク１０Ｂは、第１対向部２５のローン生地１７ａの打込本数を前記範囲にすることで、第１対向部２５のローン生地１７ａが最適な密度を有し、ローン生地１７ａに優れた吸湿機能と優れた好感触機能とを付与することができるとともに、ローン生地１７ａの通気性を最適に保持することができ、衛生マスク１０Ａを着用した着用者４６が違和感なく呼吸することができる。
【００７２】
第２対向部２６のローン生地１７ａの打込本数が１７０本未満では、ローン生地１７ａの密度が低下して第２対向部２６のローン生地１７ａの肌触りが低下し、第２対向部２６のローン生地１７ａが着用者４６の肌に当接（接触）したときに着用者４６の良好な間隔を与えることができない場合があるとともに、第２対向部２６におけるローン生地１７ａの吸湿機能が低下し、着用者４６の汗や呼気を十分に吸湿することができない。衛生マスク１０Ｂは、第２対向部２６のローン生地１７ａの打込本数を前記範囲にすることで、第２対向部２６のローン生地１７ａが最適な密度を有し、第２対向部２６におけるローン生地１７ａに優れた吸湿機能と優れた好感触機能とを付与することができる。
【００７３】
図８の衛生マスク１０Ｂは、図１の衛生マスク１０Ａが有する効果に加え、以下の効果を有する。衛生マスク１０Ｂは、第１対向部２５（上下方向中央部４７）に位置するローン生地１７ａの打込本数が１５０〜１７０本の範囲（好ましくは、１６０〜１７０本の範囲）にあり、第２対向部２６（上部４８及び下部４９）に位置するローン生地１７ａの打込本数が１７０〜２００本の範囲（好ましくは、１８０〜２００本の範囲）にあるから、第１対向部２５に位置するローン生地１７ａの密度を第２対向部２６に位置するローン生地１７ａの密度よりも低くすることができるとともに、第１対向部２５に位置するローン生地１７ａの通気性を第２対向部２６に位置するローン生地１７ａの通気性よりも高くすることができ、第１対向部２５に位置するローン生地１７ａが着用者４６の呼吸を邪魔することがなく、衛生マスク１０Ｂの着用中に着用者４６が楽に呼吸することができる。
【００７４】
衛生マスク１０Ｂは、第２対向部２６に位置する前記打込本数のローン生地１７ａの密度を第１対向部２５に位置する前記打込本数のローン生地１７ａの密度よりも高くすることができるから、口を除く着用者４６の残余の部位に当接（接触）するローン生地１７ａが優れた吸湿機能と優れた好感触機能とを有し、第２対向部２６に位置するローン生地１７ａの優れた吸湿機能を利用して衛生マスク１０Ｂの着用中に１７ａ（織物１７）に着用者４６の汗や呼気を吸湿させることができ、衛生マスク１０Ｂの着用中における着用者４６の肌のサラッと感を確実に保持することができるとともに、第２対向部２６に位置するローン生地１７ａの優れた好感触機能によって衛生マスク１０Ｂの着用中に着用者４６の肌に柔らかな感触を与えることができ、着用中に着用者４６の肌に滑らかでサラサラとした良好な感触を与えることができる
【符号の説明】
【００７５】
１０Ａ  衛生マスク
１０Ｂ  衛生マスク
１１    マスク本体
１２    耳掛け紐
１３    上端縁部
１４    下端縁部
１５    左側縁部
１６    右側縁部
１７    織物（布帛）
１７ａ  ローン生地
１８ａ  繊維不織布（第１繊維不織布）
１８ｂ  繊維不織布（第２繊維不織布）
１９    折曲線
２０    プリーツ
２１    上端縁部
２２    下端縁部
２３    左側縁部
２４    右側縁部
２５    第１対向部
２６    第２対向部
２７    肌対向面
２８    非肌対向面
２９    上端縁部
３０    下端縁部
３１    左側縁部
３２    右側縁部
３３    肌対向面
３４    非肌対向面
３５    一端部
３６    他端部
３７    上方第１角部
３８    下方第１角部
３９    上方第２角部
４０    下方第２角部
４１    接合用第１繊維不織布
４２    シール部
４３    接合用第２繊維不織布
４４    接合用第３繊維不織布
４５    接合用第４繊維不織布
４６    着用者
４７    上下方向中央部
４８    上部
４９    下部
【図１】
2020200569.tif 000003
【図２】
2020200569.tif 000004
【図３】
2020200569.tif 000005
【図４】
2020200569.tif 000006
【図５】
2020200569.tif 000007
【図６】
2020200569.tif 000008
【図７】
2020200569.tif 000009
【図８】
2020200569.tif 000010
【図９】
2020200569.tif 000011
【図１０】
2020200569.tif 000012